(57)【要約】【課題】各国政府を守る為に、世界規模の悪意組織の不動産、動産関連取引のマネーローンダ・リングさせない不動産、動産、投資信託販売プログラムシステム及びプール調整金送金監視等（国家機関等）システムに連動する不動産、動産、投資信託販売プログラムシステムを構築することを目的（課題）とする。【解決手段】多くの国が参加コントロール送金監視できるプログラムセンターを構成し、不動産と動産取引、投資信託等での悪意組織のマネーローンダ・リングさせない為の独占禁止金プール調整コントロール後、送金監視指令国際信託プログラム改革独占禁止金制を導入し、請求項１と請求項２のプログラムシステムを構成した。【選択図】図１
2016028315.tif 000002
【特許請求の範囲】
【請求項１】
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と投資信託できない人（自然人、法人等）に供給送金する為と地球上で平和なマネー循環形成の為、及び、世界中の国の自然人の命を最も高度な自然法則に基づいた命の尊厳教育と命の尊厳供給支金形成の為、
地球上を循環するマネーと投資信託から産生される利益を地球上の悪意組織のマネー・ローンダリングさせないプログラムシステム、ネットワーク、送金監視プログラムシステムへの加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と投資信託できない人（自然人、法人等）に供給送金する為と、地球上で平和なマネー循環形成の為、地球上を循環するマネーと投資信託から産生される利益を
地球上の悪意組織のマネー・ローンダリングさせないプログラムシステム、ネットワーク、送金監視プログラムシステムの所在地、業績、規模、業種に関する
世界中の国の自然人の命を最も高度な自然法則に基づいた命の尊厳教育と命の尊厳供給支金形成の為と地球上を循環するマネーと投資信託から産生される利益を投資信託する人（自然人、法人等）と投資信託できない人（自然人、法人等）に供給送金する為と地球上で平和なマネー循環形成の為
世界中の国の自然人の命を最も高度な自然法則に基づいた命の尊厳教育と命の尊厳供給支金形成の為、
地球上を循環するマネーと投資信託から産生される利益を地球上の悪意組織のマネー・ローンダリングさせないプログラムシステム、ネットワーク、送金監視プログラムシステム財政情報を記憶する
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と投資信託できない人（自然人、法人等）に供給送金する為と、地球上で平和なマネー循環形成の為、地球上を循環するマネーと投資信託から産生される利益を
地球上の悪意組織のマネー・ローンダリングさせないプログラムシステム、ネットワーク、送金監視プログラムシステム財政情報記憶手段と、前記加盟
世界中の国の自然人のいのちを最も高度な自然法則に基づいた命の尊厳教育と命の尊厳供給支金形成の為、
地球上を循環するマネーと投資信託から産生される利益を投資信託する人（自然人、法人等）と投資信託できない人（自然人、法人等）に供給送金する為と地球上で平和なマネー循環形成の為、
地球上を循環するマネーと投資信託から産生される利益を
地球上の悪意組織のマネー・ローンダリングさせないプログラムシステム、ネットワーク、送金監視プログラムシステムと
前記加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムから紹介された、
地球上のすべての動産、不動産の取引、契約、協定、提携、等を実施する人（自然人、法人等）の地球上を循環するマネーと投資信託から産生される利益を投資信託する人（自然人、法人等）と投資信託できない人（自然人、法人等）の要求に応じて
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と投資信託できない人（自然人、法人等）に供給送金する為と地球上で平和なマネー循環形成の為、
地球上を循環するマネーと投資信託から産生される利益を
地球上の悪意組織のマネー・ローンダリングさせないプログラムシステム、ネットワーク、送金監視プログラムシステムの財源のすべての住む為の不動産、動産と宿泊する為の不動産とそれらに連動するすべての不動産、動産取引、契約、協定、提携、等プール調整投資信託金額や前記加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と投資信託できない人（自然人、法人等）に供給送金する為と地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
2016028315.tif 000004
法人等）の地球上を循環するマネーと投資信託から産生される利益を投資信託する人（自然人、法人等）と投資信託できない人にプール調整送金目的商品料金の企画調整料金連動前記加盟
世界中の国の自然人のいのちをもっとも高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラ
2016028315.tif 000005
契約、協定、提携等を実施する人（自然人、法人等）の地球上を循環するマネーと投資信託から産生される利益を投資信託する人（自然人、法人等）と投資信託できない人にプール調整送金目的スケジュール及び加盟世界中の国の自然人のいのちをもっとも高度な自然法則に基づいたいのちのそんげん教育と命のそんげん供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネット
2016028315.tif 000006
不動産、動産と宿泊する為の不動産とそれらに連動する
すべての不動産、動産取引、契約、協定、提携等プール調整投資信託金額や前記加盟
世界中の国の自然人の命を最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログ
2016028315.tif 000007
契約、協定、提携等を実施する人（自然人、法人等）の地球上を循環するマネーと投資信託から産生される利益を投資信託する人（自然人、法人等）と投資信託できない人にプール調整送金目的費用を計算する計算手段と、前記加盟世界中の国の自然人の命を最も高度な自然法則にもとづいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金額や前記加盟
世界中の国の自然人の命を最も高度な自然法則にもとづいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と、投資信託できない人にプール調整送金目的商品料金の企画調整料金連動前記加盟
世界中の国の自ぜん人の命を最も高度な自然法則にもとづいたいのちのそんげん教いくといのちのそんげん供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プロ
2016028315.tif 000008
取引、契約、協定、提携等を実施する人（自然人、法人等）の地球上を循環するマネーと投資信託から産生される利益を投資信託する人（自然人、法人等）と投資信託できない人にプール調整送金目的費用に応じて前記加盟
世界中の国の自然人の命を最も高度な自然法則にもとづいた命の尊厳教育と命の尊厳供給支金形成の為、
地球上を循環するするマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステム毎に加盟
世界中の国の自然人の命を最も高度な自然法則にもとづいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金額や前記加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整改革資金を計算する加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、
地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金額や前記加盟
世界中の国の自然人の命を最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの金体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中の国の自然人の命を最も高度な自然法則に基づいた命の尊げん教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整改革資金計算手段とを備えたことによって
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品の需要が喚起するとともに
2016028315.tif 000009
施する人（自然人、法人等）の地球上を循環するマネーと投資信託から産生される利益を投資信託する人（自然人、法人等）と投資信託できない人にプール調整送金目的商品の販売が促進するという好循環が形成されることを特徴とする
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品販売システム。
前記
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品の加盟
世界中の国の自然人の命を最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源のすべての住む為の不動産、動産と宿泊する為の不動産とそれらに連動するすべての不動産、動産取引、契約、協定、提携等プール調整投資信託金額や前記加盟
世界中の国の自然人の命を最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）地球上を循環するマネーと投資信託から産生される利益を投資信託する人（自然人、法人等）と投資信託できない人にプール調整送金目的商品料金の企画調整料金連動前記加盟
世界中の国の自然人のいのちを最も高度な自然法則に基づいた命の尊厳教育と命のそんげん供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金を予測計算するためにコンピュータを、加盟地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源のすべての住む為の不動産、動産と宿泊する為の不動産とそれらに連動するすべての不動産、動産取引、契約、協定、提携等プール調整投資信託金額を入力する手段、
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測
すべての住む為の不動産、動産と宿泊する為の不動産とそれらに連動するすべての不動産、動産取引、契約、協定、提携等プール調整投資信託金額を入力する手段
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整額を入力する手段、
加盟世界中の国の自然人の命を最も高度な自然法則に基づいたいのちのそんげん教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源の予測プールバランス企画調整額を入力する手段、
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の地球上のすべての動産  不動産の取引、契約、協定、提携、等を実施する人（自然人、法人等）の地球上を循環するマネーと投資信託から産生される利益を投資信託する人（自然人、法人等）と投資信託できない人（自然人、法人等）にプール調整送金目的商品料金の
地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な
すべての住む為の不動産、動産と宿泊する為の不動産とそれらに連動するすべての不動産、動産取引  契約、協定、提携等プール調整投資信託金額の企画調整料金の額を入力する手段、
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の
地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が、支払い不可能な
すべての住む為の不動産、動産と宿泊する為の不動産とそれらに連動するすべての不動産、動産取引、契約、協定、提携等プール調整投資信託金額の予測企画調整料金の額を入力する手段、
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金の予測額を入力する手段、
予め加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの過去の財政実績データを記憶しておく加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステム財政記憶手段、
予め種々の掛け算による変動条件データを記憶しておく変動条件データ記憶手段、
予め種々の変動条件データを記憶しておく変動条件データ記憶手段、
予め前記手段にかかる補正ルールを記憶しておく補正ルール記憶手段、
加盟世界中の国の自然人の命を最も高度な自然法則に基づいた命の尊厳教育と命の尊厳供給支金形成の為、地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金額と加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測
すべての住む為の不動産、動産と宿泊する為の不動産とそれらに連動する、すべての不動産、動産取引、契約、協定、提携等プール調整投資信託金額と加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為  地球上を循環するマネーと投資信託から産生される利益を地球上の悪意組織のマネー・ローンダリングさせないプログラムシステム、ネットワーク、送金監視プログラムシステムの全体の財源のプールバランス企画調整額と加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの過去の財政実績データを加盟地球上を循環するマネーと投資信託から産生される利益を投資信託する人（自然人  法人等）と  投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステム財政情報データ記憶手段から読み出して第１の予測企画調整金額（加盟地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムがおぎなうことの不可能な当該環境整備金と地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な金額）を得る手段加盟
世界中の国の自然人の命を最も高度な自然法則に基づいた命の尊厳教育といのちの尊厳供給支金形成の為、
地球上を循環するマネーと投資信託から産生される利益を
投資信託する人（自然人、法人等）と、投資信託できない人（自然人、法人等）に供
2016028315.tif 000010
るマネーと投資信託から産生される利益を地球上の悪意組織のマネー・ローンダリングさせないプログラムシステム、ネットワーク、送金監視プログラムシステムの財源のすべての信む為の不動産、動産と宿泊する為の不動産とそれらに連動するすべての不動産、動産取引、契約、協定、提携等プール調整投資信託金額と加盟世界中の国の自然人の命を最も高度な自然法則に基づいたいのちのそんげん教育といのちのそんげん供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測すべての住む為の不動産、動産と宿泊する為の不動産とそれらに連動するすべての不動産、動産取引、契約、協定、提携等プール調整投資信託金額と加盟世界中の国の自然人の命を最も高度な自然法則に基づいたいのちの尊厳教育と命のそんげん供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整額と加盟
世界中の国の自然人の命を最も高度な自然法則に基づいた命の尊厳教育といのちのそんげん供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの過去の財政実績データを加盟
世界中の国の自然人の命を最も高度な自ぜん法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステム財政情報データ記憶手段から読み出して第１の独占禁止金予測企画調整金額を得る手段、
種々の掛け算による変動条件と他の変動条件データ記憶手段から、加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金額と加盟
世界中の国の自然人の命を最も高度な自然法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測すべての住む為の不動産、動産と宿泊する為の不動産とそれらに連動するすべての不動産、動産取引、契約、協定、提携等プール調整投資信託金額と加盟
世界中の国の自ぜん人の命を最も高度な自ぜん法則に基づいた命の尊げん教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整額と加盟世界中の国の自ぜん人の命を最も高度な自ぜん法則に基づいたいのちの尊げん教育といのちのそんげん供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源の予測プールバランス企画調整額と
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な
すべての住む為の不動産、動産と宿泊する為の不動産とそれらに連動するすべての不動産、動産取引、契約、協定、提携等プール調整投資信託金額の企画調整料金の額と地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な、すべての住む為の不動産、動産と宿泊する為の不動産とそれらに連動するすべての不動産、動産取引、契約、協定、提携等プール調整投資信託金額の予測企画調整料金の額と加盟
世界中の国の自然人の命を最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金の予測額の種々の掛け算による変動条件と他の変動条件を読み出し、当該種々の掛け算による変動条件と他の変動条件データに基づき補正ルール記憶手段に記憶された補正ルールの中から適用すべき補正ルールを選択する手段適用すべき補正ルールに基づき第１の予測企画調整金額と独占禁止金予測企画調整金額を補正して第２の予測企画調整金額と独占禁止金予測企画調整金額を得る手段及び第２の予測企画調整金額と独占禁止金予測企画調整金額を出力する手段、
として機能させるための地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品の加盟
世界中の国の自然人の命を最も高度な自然法則にもとづいたいのちの尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引  契約、協定、提携等プール調整投資信託金額や前記加盟
世界中の国の自ぜん人のいのちを最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中のくにのしぜん人のいのちを最も高度な自然法則にもとづいたいのちのそんげん教育といのちのそんげん供給支きん形成の為、
地球上を循環するマネーと投資信託から産生される利益を投資信託する人（自然人、法人等）と投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金予測プログラム。
【請求項２】
前記加盟世界中のくにの自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の、すべての住む為の不動産、動産と宿泊する為の不動産とそれらに連動するすべての不動産、動産取引、契約、協定、提携等プール調整投資信託金額や前記加盟世界中の国の自然人の命を最も高度な自然法則に基づいた命の尊厳教育と命のそんげん供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中のくにの自ぜん人のいのちをもっとも高度な自然法則に基づいたいのちのそんげん教育と命のそんげん供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整改革資金を加盟
世界中のくにの自ぜん人のいのちをもっとも高度な自然法則に基づいたいのちのそんげん教育といのちのそんげん供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源のすべての住む為の不動産動産と宿泊する為の不動産とそれらに連動するすべての不動産、動産取引、契約、協定、提携等プール調整投資信託金額や前記加盟
世界中のくにの自ぜん人のいのちをもっとも高度な自ぜんほうそくにもとづいたいのちのそんげん教育といのちのそんげん供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム  ネットワーク  送金監視プログラムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中のくにの自ぜん人のいのちをもっとも高度な自ぜん法則に基づいた命の尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整改革資金レートに基づいて計算し、前記加盟
世界中のくにの自ぜん人のいのちをもっとも高度な自ぜん法則に基づいたいのちの尊厳教育と命の尊厳供給支金形成の為、
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金額や前記加盟
世界中のくにの自ぜん人の命を最も高度な自ぜん法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の地球上のすべての動産  不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の企画調整料金連動前記加盟
世界中のくにの自ぜん人のいのちをもっとも高度な自ぜん法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整改革資金レートを加盟地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの所在地、規模、業績又は業種に応じて決定する請求項１に記載のシステム。
前記地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品の加盟
世界中のくにの自ぜん人の命を最も高度な自ぜん法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金レートや前記加盟
世界中のくにの自ぜん人の命を最も高度な自然法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品レートの企画調整レート連動前記加盟
世界中のくにの自ぜん人のいのちをもっとも高度な自ぜん法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金レートを予測計算するためにコンピュータを、
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源のすべての住む為の不動産、動産と宿泊する為の不動産とそれらに連動するすべての不動産、動産、取引、契約、協定、提携等プール調整投資信託金レートを入力する手段、
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測すべての住む為の不動産、動産と宿泊する為の不動産とそれらに連動するすべての不動産、動産取引、契約、協定、提携等プール調整投資信託金レートを入力する手段、
加盟世界中の国の自然人の命を最も高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整レートを入力する手段、
加盟世界中のくにの自ぜん人の命をもっとも高度な自然法則に基づいた命の尊厳教育と命の尊厳供給支金形成の為、地球上を循環するマネーと投資信託から産生される利益を投資信託する人（自然人、法人等）と投資信託できない人（自然人、法人等）に供給送金する為と地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源の予測プールバランス企画調整レートを入力する手段、
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が、支払い不可能な
すべての住む為の不動産  動産と宿泊する為の不動産とそれらに連動するすべての不動産、動産取引  契約、協定、提携等プール調整投資信託金額の企画調整レートを入力する手段、
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の
地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な
すべての住む為の不動産、動産と宿泊する為の不動産とそれらに連動するすべての不動産、動産取引、契約、協定、提携等プール調整投資信託金額の予測企画調整レートを入力する手段
加盟世界中のくにの自ぜん人のいのちをもっとも高度な自然法則に基づいた命の尊厳教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金レートの予測レートを入力する手段、
予め加盟世界中のくにの自ぜん人のいのちをもっとも高度な自然法則に基づいた命のそんげん教育と命の尊厳供給支金形成の為、地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの過去の財政実績データを記憶しておく加盟
世界中のくにの自ぜん人のいのちをもっとも高度な自ぜん法則に基づいた命の尊厳教育と命の尊厳供給支金形成の為、
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステム財政記憶手段、
予め種々の掛け算による変動条件データを記憶しておく変動条件データ記憶手段予め種々の変動条件データを記憶しておく変動条件データ記憶手段、
予め前記手段にかかる補正ルールを記憶しておく補正ルール記憶手段、
加盟世地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金レートと加盟地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測
すべての住む為の不動産、動産と宿泊する為の不動産とそれらに連動する
すべての不動産、動産取引、契約、協定、提携等プール調整投資信託金レートと加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整レートと加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を
地球上の悪意組織のマネー・ローンダリングさせないプログラムシステム、ネットワーク、送金監視プログラムシステムの過去の財政実績データを加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク送金監視プログラムシステム財政情報データ記憶手段から読み出して第１の予測企画調整レート（加盟地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムがおぎなうことの不可能な当該環境整備金レートと
地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能なレート）を得る手段、
加盟地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金レートと加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測すべての住む為の不動産、動産と宿泊する為の不動産とそれらに連動するすべての不動産、動産取引、契約、協定、提携等プール調整投資信託金レートと加盟
地球上を循環するマネーと投資信託から産生される利益を
投資信託する人（自然人、法人等）と、投資信託できない人（自然人、法人等）に供給送金する為と、地球上で平和なマネー循環形成の為、地地球上を循環するマネーと投資信託から産生される利益を地球上の悪意組織のマネー・ローンダリングさせないプログラムシステム、ネットワーク、送金監視プログラムシステムの全体の財源のプールバランス企画調整レートと加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの過去の財政実績データを加盟
地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステム財政情報データ記憶手段から読み出して第１の独占禁止金レート予測企画調整レートを得る手段、
種々の掛け算による変動条件と他の変動条件データ記憶手段から、加盟地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金レートと加盟地球上を循環するマネーと投資信託から産生される利益を投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財源の予測
すべての住む為の不動産、動産と宿泊する為の不動産とそれらに連動するすべての不動産、動産取引、契約、協定、提携等プール調整投資信託金レートと加盟地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整レートと加盟地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源の予測プールバランス企画調整レートと
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の
地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な
すべての住む為の不動産、動産と宿泊する為の不動産とそれらに連動するすべての不動産、動産取引、契約、協定、提携等プール調整投資信託金レートの企画調整レートと
地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品料金の
地球上のすべての動産、不動産の取引、契約、協定、提携等を実施する人（自然人、法人等）の地球上を循環するマネーと投資信託から産生される利益を投資信託する人（自然人、法人等）と投資信託できない人（自然人、法人等）が支払い不可能な
すべての住む為の不動産、動産と宿泊する為の不動産とそれらに連動するすべての不動産、動産取引、契約、協定、提携等プール調整投資信託金レートの予測企画調整レートと加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金レートの予測レートの種々の掛け算による変動条件と他の変動条件を読み出し、当該種々の掛け算による変動条件と他の変動条件データに基づき補正ルール記憶手段に記憶された補正ルールの中から適用すべき補正ルールを選択する手段、
適用すべき補正ルールに基づき第１の予測企画調整レートと独占禁止金レート予測企画調整レートを
補正して第２の予測企画調整レートと独占禁止金レート予測企画調整レートを得る手段、及び第２の予測企画調整レートと独占禁止金レート予測企画調整レートを出力する手段、
として機能させるための地球上のすべての動産、不動産の取引、契約、協定、提携等を実施する人（自然人、法人等）の地球上を循環するマネーと投資信託から産生される利益を投資信託する人（自然人、法人等）と投資信託できない人にプール調整送金目的商品の加盟
地球上を循環するマネーと投資信託から産生される利益を
投資信託する人（自然人、法人等）と、投資信託できない人（自然人、法人等）に供給送金する為と、地球上で平和なマネー循環形成の為、
地球上を循環するマネーと投資信託から産生される利益を地球上の悪意組織のマネー・ローンダリングさせないプログラムシステム、ネットワーク、送金監視プログラムシステムの財源の
すべての住む為の不動産、動産と宿泊する為の不動産とそれらに連動するすべての不動産、動産取引、契約、協定、提携等プール調整投資信託金レートや前記加盟
地球上を循環するマネーと投資信託から産生される利益を
投資信託する人（自然人、法人等）と投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの全体の財源のプールバランス企画調整の為の
地球上のすべての動産、不動産の取引  契約、協定、提携等を実施する人（自然人、法人等）の地球上を循環するマネーと投資信託から産生される利益を投資信託する人（自然人、法人等）と投資信託できない人にプール調整送金目的商品料金の企画調整レート連動前記加盟
地球上を循環するマネーと投資信託から産生される利益を
投資信託する人（自然人、法人等）と、投資信託できない人（自然人、法人等）に供給送金する為と、地球上で平和なマネー循環形成の為、地球上を循環するマネーと投資信託から産生される利益を地球上の悪意組織のマネー・ローンダリングさせないプログラムシステム、ネットワーク、送金監視プログラムシステムの財政改革企画調整独占禁止金レート予測プログラム。
【発明の詳細な説明】
【技術分野】
【０００１】本発明は、悪意組織のマネー・ローンダ・リングさせないプログラムシステム実施をスムーズにし、国家の安全を特に確実に存続させることが可能となる不動産、動産  投資信託販売プログラムシステムに関する。
【背景技術】
【０００２】各国政府を守る為に、各国政府の資金力を強化する為に、
悪意組織のマネーローンダ・リングさせない為に
不動産、動産、投資信託販売プログラムシステムの送金監視（各国政府と国際機関）システムの形成と強化が必要となる。【０００３】昔のバブル経済とバブル経済の突然の崩壊と世界規模の悪意組識の不動産、動産関連取引のマネーローンダ・リングも否定できない。
【発明が解決しようとする課題】
【０００４】本発明は、上記の点にかんがみてなされたもので、
各国政府を守る為にマネー・ローンダ・リングさせない為の先使用権コンサルティング事業開始本明細書を事業コンサルティング開始とする不動産、動産、投資信託販売プログラムシステム及び、この発明出願と同時に送金監視等（国家機関等）システムの愛聖院保護と先使用権利の発生プログラムシステム
先使用権存在自然人センター  を現実の環境として、自然法則に順じた高度な技術創造環境を地球全域に作り出し、悪意組織のマネー・ローンダ・リングさせないプログラム実施をスムーズにし、国家の安全を特に確実に存続させることが可能となる不動産、動産、投資信託販売プログラムシステムを構築することを目的とする。
【課題を解決するための手段】
【０００５】前記（上記）課題を解決するため、本発明においては、
多くの国が参加コントロール送金監視できるプログラムセンターを構成し、不動産と動産取引、投資信託等での悪意組織のマネーロンダ・リングさせない為の独占禁止金プール調整コントロール後、送金監視指令国際信託プログラム改革独占禁止金制を導入した。
具体的には、請求項１と請求項２のプログラムシステムを構成した。
【０００６】各国の経済及び安全が安定し、独占禁止金プール調整コントロール改革独占禁止金の地球上の好循環が少しずつ形成されていく。
前記独占禁止金プール調整コントロール改革独占禁止金を国際的
2016028315.tif 000003
策を行うことができる。
【発明の効果】
【０００７】本発明によれば、不動産、動産、取引等、投資信託等での独占禁止金プール調整コントロール改革独占禁止金制を媒介にして、
各国間の経済と安全の安定的発展を促進するシステムを提供することができる。
【図面の簡単な説明】
【０００８】
【図１】不動産、動産取引  投資信託販売プログラムシステム送金監視（国家機関等）システムセンター（一例）のブロック図（１通信回線）
【図２】各国の国内の独占禁止金額やレートを演算計算処理、送金する為のすべての住む為の不動産、動産と宿泊する為の不動産とそれらに連動するすべての不動産、動産取引、契約、協定、提携等プール調整投資信託金額やレートを演算計算処理送金プロジェクト管理センター（一例）（２管理センター）
【図３】マネーローンダ・リングさせない為の独占禁止金プール調整コントロール送金監視指令国家（政府）の管理センター（一例）図１の構成例を示す（３．不動産、動産発生するマネーローンダ・リングさせない監視センター）
【図４】マネーローンダ・リングさせない為の独占禁止金プール調整コントロール送金監視指令プロジェクト国際信託プログラム送金指令センター（一列）（５．地球全体の平和なマネー循環コントロール指令信託国際機関）
【図５】地球上の平和なマネー循環させる為に、（為の商品として）すべての住む為の不動産、動産と宿泊する為の不動産とそれらに連動するすべての不動産、動産取引、契約、協定、提携等プール調整投資信託等のいずれか、又、いくつか、に参加する人やそれらに参加できないＰ・Ｃや人に販売ソフトアプリやＩＴで（を）通信情報公開（一部悪意組織等他公開できない要件をのぞく）、不動産、動産、プール調整金演算処理不動産、動産販売商品ソフト販売センター（一例）（７．不動産、動産から発生する平和なマネープール調整金演算処理不動産、動産販売商品ソフト販売センター
【発明を実施するための形態】
【０００９】図１と図２と図３と図４と図５を実施する為の形態。
【産業上の利用可能性】
【００１０】各国政府と大中小組織と自然人の経済が安全に拡大していくのでとても有用である。（産業上の利用可能性があり、進歩的である。）
【符号の説明】
【００１１】１  通信回線：不動産、動産取引、投資信託販売プログラムシステム送金監視（国家機関等）システムセンター
２  管理センター：各国の国内の独占禁止金額やレートを演算計算処理送金プロジェクト管理センター
（すべての住む為の不動産、動産と宿泊する為の不動産とそれらに連動するすべての不動産、動産取引、契約、協定  提携等プール調整金目的）
３  不動産、動産から発生するマネーローンダ・リングさせない監視コントロールセンター（政府）
５．地球全体の平和なマネー循環コントロール指令信託国際機関
７．不動産、動産から発生する平和なマネープール調整金演算処理不動産、動産販売商品ソフト販売センター
１ａ．独占禁止金額やレートを演算計算処理送金する為のＰＣ内ソフトプログラムプロジェクト部問
１ｂ．プール調整投資信託金額やレートを演算計算処理送金プロジェクト部問
１ｃ．リフレッシュ休むためのすいみん部問
１ｄ．独占禁止金プール調整コントロール送金監視指令センター室
１ｅ．リフレッシュ休む為のすいみん部問
１ｆ．地球全体の平和なマネー循環コントロール監視指令部門（国際機関）
１ｇ．独占禁止金プール調整コントロール送金監視指令プロジェクト部門（国際機関）
１ｈ．リフレッシュ休む為のすいみん部門
１ｉ．不動産、動産から発生する平和なマネープール調整金演算処理不動産、動産販売商品ソフト販売部門
１ｋ．リフレッシュ休む為のすいみん部門
【図１】
2016028315.tif 000011
【図２】
2016028315.tif 000012
【図３】
2016028315.tif 000013
【図４】
2016028315.tif 000014
【図５】
2016028315.tif 000015